(57)【要約】      （修正有）【課題】製品に別途装着する必要がなく、効果的に人体に有害なプラスイオンによる悪影響を防止あるいは緩和可能な方法を提案すること。【解決手段】天然鉱石のうち薬石と呼ばれる鉱石から、カルシウム、ナトリウム、カリウム、マグネシウム、ケイ素、塩素イオン、硫酸イオンなどのミネラル成分が含まれたメッキ用添加剤を製造する。このメッキ用添加剤を用いてメッキ処理が施されたメッキ製品は、鉱石原子のもつ電子振動波動を備えたものとなるため、例えば、エンジン１の吸気系３、排気系５、電気系２、燃料系４の部品にメッキ処理を施す。その結果、空気や燃料が細分化されることにより活性化されるので、燃焼効率を上げることができる。従って、プラスイオンの発生を抑えることができるだけでなく、トルクの増加、燃費の向上を図ることもできる。【選択図】図１
2005023371.tif 000002
【特許請求の範囲】
【請求項１】
ミネラル鉱石、多元素共存特殊天然鉱石、トルマリン等の薬石に含まれているミネラル成分を触媒としたメッキ用添加剤であって、
前記ミネラル成分には、少なくともカルシウム、ナトリウム、カリウム、マグネシウム、ケイ素、塩素イオン、および硫酸イオンが含まれており、
前記薬石を粉砕し、さらに粉末状になるまで細かくすりつぶした後、この粉末を水と混合して攪拌し、濾過することにより得たことを特徴とするメッキ用添加剤。
【請求項２】
請求項１に記載のメッキ用添加剤を用いて電気メッキあるいは無電界メッキにより、メッキ処理を施すことを特徴とするメッキ処理方法。
【請求項３】
請求項２に記載の方法により表面にメッキ処理が施されていることを特徴とするメッキ製品。
【請求項４】
請求項３において、
前記メッキ製品は、エンジンの吸気系、排気系、電気系、燃料系の部品のうちのいずれかであることを特徴とするメッキ製品。
【請求項５】
請求項３において、
前記メッキ製品は、リング・ブレスレット・バックル・ネクタイピン・ボタン・時計バンド・ブラジャーのワイヤー・ファスナー・眼鏡などの装飾品、鉄骨・パネル・ボルト・ナットなどの建築用資材、ペンやカッターなどの文具、支柱・鋼線・鉄板製の道具などの農業用資材、ゴルフシャフト・トレーニング機器・自転車などのスポーツ用具、台所用品・水道蛇口・パイプ・バルブ・シャワーノズル・鍵などの日用雑貨、テーブルや椅子などの家具、車椅子や杖などの福祉器具、および、金管楽器のうちのいずれかであることを特徴とするメッキ製品。
【請求項６】
請求項４または５において、
前記メッキ処理されたメッキ製品は、当該メッキ製品の表面部分の周りに存在する流体の分子を細分化することを特徴とするメッキ製品。
【請求項７】
請求項４または５において、
前記メッキ処理されたメッキ製品の表面部分は、通電により前記ミネラル成分を電極として、空気中の水分と結合してマイナスイオンを発生することを特徴とするメッキ製品。
【発明の詳細な説明】
【０００１】
【発明の属する技術分野】
本発明は、プラスイオンの影響を軽減することのできるメッキ用添加剤、当該メッキ用添加剤を用いたメッキ処理方法および、当該メッキ処理方法により処理されたメッキ製品に関するものである。
【０００２】
【従来の技術】
空気中のイオンはその大きさや運動の度合いなどによって、遊離電子、原子イオン、軽イオン、中間イオンなどに分けられている。これらの空気イオンのうちマイナスの電荷を持つものをマイナスイオン、プラスの電荷を持つものをプラスイオンと定義されている。
【０００３】
ここで、電気製品などから発生する電磁波が空気中の微粒子の中にある中性子に当たるとプラスの電荷を帯びた微粒子になることが知られており、これらは一般的にプラスイオンと呼ばれている。特に、自動車の排気ガスに含まれるススなどの微粒子はプラスに帯電しやすい。
【０００４】
人体は約６０兆個の細胞で構成されていると云われているが、この細胞の内外に一定の電位差を持ち、細胞内に発生した老廃物を細胞の外側に排出して新陳代謝を活発にして健康な状態を保っている。プラスイオンが空気中で過剰になると、人体の生理機能に乱れが生じ体内のカルシウムが流出するなどにより、自律神経失調症、頭痛、めまい、はきけ、肩こりなど不快な症状や病気になりやすくなる。
【０００５】
また、同じ中性子に温度、湿度、などの条件を与えるとマイナスの電荷を帯びたマイナスイオンを発生することが知られている。このマイナスイオンは人体の正常な新陳代謝を促し健康な状態を保つことができ、免疫力の向上や体の機能向上、精神安定、老廃物の排出などの効果があり、人体にとって欠くことのできない要素である。
【０００６】
このように、プラスイオンが有害であることが知られてきたことにより、プラスイオンから人体を守る目的でいろいろな商品が出回ってきている。例えば、自動車の排気ガスに含まれるススなどの微粒子がプラスに帯電しやすいことから、自動車のマフラーなどに、天然鉱石を砕いたものを銅箔テープなど使って装着するものなどがある。また、天然鉱石をベース材としたダイオードをシールやペンダントなどにして人体に装着するものなどがあるが、いずれもプラスイオンの影響を軽減する目的で使われている。
【０００７】
一方、波動と呼ばれる振動エネルギー面から考えると、すべての物質はその最小の世界において電子の動きや陽子、中性子が激しく振動しており、その電子の数及び形によって固有の振動を発生している。人体も自然界に存在する物質のため、原子や素粒子の集合体と考えられ、固有の振動を持って個々の形を維持しているものと云える。
【０００８】
身体の不調や病気の根本的な原因は、原子や素粒子レベルでの波動の乱れによると考えられ、食事、空気、環境などの外的要因に加え、感情や遺伝情報などの内的要因により、原子および電子レベルでの波動の乱れが生じ、物質的な変化として病気などの症状になって現れる。これらの病気を治療するのに、病気を生じさせている波動と反対の波動を用いて中和消去して健康維持しようとする試みがなされている。
【０００９】
【発明が解決しようとする課題】
そこで、本発明の課題は、人体に対するプラスイオンの影響を軽減するために、天然鉱石の持っている改善効果を効率的に利用し、従来のように製品に別途装着するものなどの煩わしさを解決し、始めから製品にそのような機能を持たせることにある。
【００１０】
【課題を解決するための手段】
上記の課題を解決するため、本発明では、薬石と呼ばれる天然鉱石の有効成分を用いて製品にメッキ処理を施し、この製品を使用するだけで、プラスイオンの影響を軽減することを特徴としている。
【００１１】
本発明によるメッキ用添加剤を作るためには、前記薬石を粉砕機により粉砕し、さらに粉末状になるまで細かくすりつぶした後、この粉末を水と混合して攪拌装置により攪拌する。その後フィルターを用いて濾過することにより、液状の添加剤を抽出する。この液状の添加剤には、カルシウム、ナトリウム、カリウム、マグネシウム、ケイ素、塩素イオン、硫酸イオンなどのミネラル成分が含まれており、この成分を製品のメッキ用の添加剤として用いる。
【００１２】
一般的に製品の表面には各種メッキが施されている。例えば銅メッキ、錫メッキ、金メッキ、銀メッキ、半田メッキ、ニッケルメッキ、パラジウムメッキなど、用途や特性に応じて各種のメッキが使い分けられている。これらのメッキ液中に前記添加剤を添加し、電気メッキまたは無電解メッキを施すことにより、前記ミネラル有効成分がメッキ用主材金属と一緒に素材金属表面にメッキされる。
【００１３】
メッキ製品は、鉱石原子が持つ電子振動波動を備えるものとなるため、当該メッキ製品の表面部分の周りに存在する空気や水などの流体は、その電子振動波動に刺激されることにより、分子が細分化される。すなわち、クラスターの値が小さくなるため分子の動きが速くなり、人体に取り込んだ場合、細胞への浸透力が高く、細胞内への吸収が良くなる。
【００１４】
また、メッキ製品に通電することにより、電気エネルギーが鉱石原子の持つ電子振動波動をさらに刺激し、鉱石のミネラル天然石が電極となり、空気中の水分と結合し、電極は結晶を中心に半径数ミクロンの球形の空間に電場を作る。このうち、プラス極は周囲の電子を集めてマイナス極に送り続けるが、その結果、マイナス極に蓄えられた電子が一定の量を超えると電子を放出する放電現象が起きる。
【００１５】
このとき空気中を漂う水分子が電極の作る電場の中を通過すると瞬間的放電によって電離現象が起こり、水分子は水素イオン（Ｈ＋）と水酸イオン（ＯＨ−）に解離する。その際、水素イオン（Ｈ＋）は周囲の電子を取り込んで中和されてしまうが、水酸イオン（ＯＨ−）は中和されず、その多くが周囲の水分子と結合してマイナスの電荷をもつマイナスイオン（ヒドロキシルイオン）になり空気中を浮遊し続けている。このときこのマイナスイオン（ヒドロキシルイオン）はそれぞれマイナス電荷を持っていて反発しあうため非常に安定した状態になる。
【００１６】
このマイナスイオン（ヒドロキシルイオン）が人体にとって好ましい作用を及ぼすことはすでに知られているとおりであり、例えば人体の体内に吸収されたマイナスイオン（ヒドロキシルイオン）は界面活性作用によってコレステロールの凝固や血管壁への付着を防ぎ、血管の硬化を防ぐことになる。また、マイナスイオンを帯びているヒドロキシルイオンは血液を人体にとって好ましい弱アルカリ性に調整する働きをもっている。
【００１７】
このように本発明では、ある製品にメッキを施す時の添加剤として薬石の各種ミネラル成分を使用することにより、人がメッキ製品を使用するだけでマイナスイオン効果が現れることを特徴としている。
【００１８】
本発明の対象となるメッキ製品としては、エンジンの吸気系、排気系、電気系、燃料系の部品などがある。また、リング、ブレスレット、バックル、ネクタイピン、ボタン、時計バンド、ブラジャーのワイヤー、ファスナー、眼鏡などの装飾品などがある。さらに、鉄骨、パネル、ボルト、ナットなどの建築用資材などがある。また、ペンやカッターなどの文具などがある。また、支柱、鋼線、鉄板製の道具などの農業用資材などがある。さらに、ゴルフシャフト、トレーニング機器、自転車などのスポーツ用具などがある。さらにまた、台所用品、水道蛇口、パイプ、バルブ、シャワーノズル、鍵などの日用雑貨などがある。これに加えて、テーブルや椅子などの家具がある。更には、車椅子や杖などの福祉器具などがある。この他に、金管楽器にも本発明を適用可能である。
【００１９】
【発明の実施の形態】
以下に、図面を参照して、本発明によるメッキ用添加剤、当該メッキ用添加剤を用いたメッキ処理方法および、当該メッキ処理方法により処理されたメッキ製品について更に詳しく説明する。
【００２０】
図１は本例のメッキ用添加剤を製造する工程を示す概略工程図である。この図に従って説明すると、まず、ステップＳｔ１において、薬石と呼ばれる鉱石を準備する。これらの鉱石に含まれるミネラル成分は、少なくともカルシウム、ナトリウム、カリウム、マグネシウム、ケイ素、塩素イオン、硫酸イオンが含まれている。次に、ステップＳｔ２において、鉱石を粉砕機によりある程度の大きさになるよう粉砕する。次に、ステップＳｔ３において、粉砕後の原料を水に溶けやすくするために、粉末状になるまで細かくすりつぶす。次に、ステップＳｔ４において、粉末原料を混合するための水を準備する。次に、ステップＳｔ５において、粉末原料と水を混合して攪拌装置により攪拌して、粉末原料を水に溶かした状態にする。次に、ステップＳｔ６において、混合されて溶かされた混合液をフィルターにより濾過する。この結果、最終的に濾過された抽出液が出来上がり、この抽出液がメッキ用の添加剤となる。
【００２１】
図２は、このようにして製造したメッキ用添加剤を用いてメッキ処理を行う工程を示す概略工程図である。この図に示すように、まず、ステップＳｔ１１において、金属製の被メッキ対象物を準備する。次に、ステップＳｔ１２において、電気メッキないしは、無電解メッキにおいて、通常行われる洗浄などの前処理を行う。次に、ステップＳｔ１３において、抽出液である添加剤を準備する。
【００２２】
次に、ステップＳｔ１４において、いわゆるメッキ工程を行うが、ここで行われるメッキの種類としては、例えば銅メッキ、錫メッキ、金メッキ、銀メッキ、半田メッキ、ニッケルメッキ、パラジウムメッキなど、用途や特性に応じて各種のメッキが使い分けられている。また、メッキの方法として、ここでは電気メッキでも無電解メッキでも良い。メッキ液の中に、前述のようにして得た抽出液である添加剤を触媒として加える。この工程において、ミネラル有効成分がメッキ用各種主材金属と一緒に各種素材金属表面にメッキされる。次に、ステップＳｔ１５において、通常行われる洗浄などの後処理を行う。以上により、本発明によるメッキ用添加剤を加えた金属メッキが完成する。
【００２３】
図３は、本発明における薬石から得られたミネラル成分の分析結果の一例を表す説明図である。この結果からわかるように、検出されたミネラル有効成分が本発明のメッキ用添加剤に含まれている成分である。
【００２４】
次に、図４は波動と呼ばれる振動エネルギー面から見たときの水分子のクラスター値の比較表である。クラスターとは分子の集団（葡萄の房状）で、クラスターの値が小さいほど、分子が細分化されていることになる。分子が細分化されているほど、分子の動きが速く、細胞への浸透力が高く、細胞内への吸収が良いことになる。このため、クラスターの値が小さいほど、人体にとってより良い波動と云える。本添加剤液のクラスター値は非常に小さいため、人体の波動に調和し、ひとつひとつの細胞を活性化する働きがあるものと考えられる。それ故、本添加剤液を用いてメッキ処理した装飾品、建築用資材、文具、農業用資材、スポーツ用具、日用雑貨、家具、福祉器具、楽器などのメッキ製品は人体の波動に調和し、ひとつひとつの細胞を活性化する働きをする。
【００２５】
図５は、本発明のメッキ用添加剤を用いてメッキ処理が施された自動車部品の使い方の実施例を模式的に示す説明図である。この図に示すように、エンジン１の電気系部品２において、アース部材２１に本発明のメッキ用添加剤を用いてメッキ処理を施せば、そこからはマイナスイオンが発生することになる。このマイナスイオンは、エンジンルームが限られた狭い空間のため、そのほとんどが吸気系部品３を介してエンジン１に吸気される。このため、燃焼効率を上げることができる。
【００２６】
ここで、例えば、吸気系部品３のエアクリーナ３２、吸気バルブ３３、インテークマニホールド３３などを、本発明のメッキ用添加剤を用いてメッキ処理を施せば、さらにその効果を上げることが可能である。
【００２７】
また、燃料系部品である燃料タンク４を本発明のメッキ用添加剤を用いてメッキ処理を施せば、燃料タンク４内の燃料が鉱石原子の持つ電子振動波動に刺激されて、燃料分子が細分化される。このため、燃料を活性化することができるので、燃焼効率を上げることができる。
【００２８】
さらに、排気系部品５のエキゾーストマニホールド５１、触媒５２、マフラー５３などにおいても本発明のメッキ用添加剤を用いてメッキ処理を施せば、排気ガス中の分子を細分化することができる。このため、排気ガスが排気系部品５内を通過する際の抵抗を小さくすることができるので、トルクの増加などを図ることができる。また、排気ガスに含まれるススなどの微粒子はプラスに帯電しやすいためプラスイオンになりやすいが、排気系部品５にメッキ処理を施すことで、それを最小限に抑えることもできる。
【００２９】
以上説明したように、本発明のメッキ用添加剤を用いてエンジン１の吸気系３、排気系５、電気系２、燃料系４の部品にメッキ処理を施せば、燃焼効率を上げることができる。それ故、トルクの増加、燃費の向上、環境汚染の減少を図ることができる。
【００３０】
【発明の効果】
本発明によるメッキ用添加剤を用いてメッキ処理を施したメッキ製品を使用したところ、人体に有害なプラスイオンによる弊害を効果的に防止あるいは抑制できることが確認された。
【００３１】
すなわち、本発明によるメッキ用添加剤は、ミネラル鉱石や多元素共存天然鉱石などのミネラル成分を抽出した後、製品のメッキ用に触媒として添加されるので、人体に有害なプラスイオンは、当該メッキ用添加剤の作用によって、例えば、そのマイナスイオン効果によって、中和ないしは緩和されるものと考えられる。
【００３２】
本発明のメッキ用添加剤を触媒として添加してメッキ処理を施したメッキ製品を用いれば、改めてそこに別のプラスイオンを防止するための部材や手段を講じる必要がない。それ故、簡単、確実、かつ廉価に、プラスイオンよる人体への悪影響を除去あるいは低減できる。
【００３３】
また、本発明のメッキ用添加剤を用いてエンジンの吸気系、排気系、電気系、燃料系の部品にメッキ処理を施せば、空気や燃料が細分化されることにより活性化されるので、燃焼効率を上げることができる。このため、トルクの増加、燃費の向上、環境汚染の減少を図ることができる。
【図面の簡単な説明】
【図１】本発明の添加剤の製造工程を示す概略工程図である。
【図２】本発明による添加剤を用いたメッキ工程を示す概略工程図である。
【図３】本発明における薬石から得られたミネラル成分の分析結果の一例を示す説明図である。
【図４】波動と呼ばれる振動エネルギー面から見たときのクラスター値の比較表を示す図である。
【図５】本発明のメッキ用添加剤を用いてメッキ処理が施された自動車部品の使い方の実施例を模式的に示す説明図である。
【符号の説明】
１  エンジン
２  電気系部品
２１  アース部材
３  吸気系部品
３１  エアクリーナ
３２  吸気ダクト
３３  インテークマニホールド
４  燃料タンク（燃料系部品）
５  排気系部品
５１  エキゾーストマニホールド
５２  触媒
５３  マフラー
【図１】
2005023371.tif 000003
【図２】
2005023371.tif 000004
【図３】
2005023371.tif 000005
【図４】
2005023371.tif 000006
【図５】
2005023371.tif 000007